(57)【要約】【課題】回路基板のスルーホールへ固定するのに大きな加圧力を必要とせず、スルーホール破損の危険が少なく、接触が弾性接触で高い接触信頼性が得られる構造の接続端子を備えた回路基板用コネクタの実現。【解決手段】接続端子の先端から、回路基板の厚さを想定して予め定められた寸法の位置に、接続端子の軸方向と直交する先端側前面とこれと平行な後面を有するストッパを設け、前記接続端子の長手方向に渡る１ないし数箇所に、ストッパと接続端子先端との間に加圧力を加えたときに座屈を起し易いように接続端子の長手方向と直交する向きの切り込みを設ける。【選択図】図１
2010073455.tif 000002
【特許請求の範囲】
【請求項１】
回路基板に設けられたスルーホールにコンタクトの接続端子を挿入することにより回路基板に固定するコネクタであって、前記接続端子の先端から予め定められた寸法の位置に前記接続端子の軸方向と直交する先端側前面と該面と平行な後面を有するストッパを有し、前記接続端子には、その長手方向での１箇所又は２箇所以上に前記長手方向と直交する方向の切り込みを有し、前記接続端子に前記軸方向へ押圧力を加え、前記軸方向と交差する方向へ前記接続端子を変形させて前記回路基板に固定することを特徴とするコネクタ。
【発明の詳細な説明】
【技術分野】
【０００１】
本発明は、コネクタ端子を回路基板のスルーホールへ挿入固定して用いる回路基板用コネクタの技術分野に属する。
【背景技術】
【０００２】
従来、回路基板のスルーホールにピン状の端子を挿入し固定する構造としては、図３の（ａ）に示すように回路基板７のスルーホール８にその内径よりもやや細いピン端子１５をストッパ５のところまで挿入し（図では下から）、ストッパ５に下からダイスを当てがい、スルーホール８から出ているピン端子１５の上の先端をパンチで圧力を加えることによって、図３の（ｂ）に示すように出ている分が低くなり、その分だけピンの直径が太くなり、これによってピン端子１５がスルーホールに圧接することになり、抜けないように固定されるというものであった（例えば、特許文献１参照）。
【特許文献１】実開６３−１４６９７３号公報（実用新案登録請求の範囲、第１図、第２図）
【発明の開示】
【発明が解決しようとする課題】
【０００３】
このように、金属性のピン端子に圧力を加えて潰すには相当の加圧力が必要であり、多芯数になった場合には大きな加圧力が必要となり、そのための治具等の設備が必要になるという問題がある。
また、スルーホール内壁への圧力が大きく、スルーホールにクラックが入ったり破損したりするという恐れがある。
更に、潰しによる構造では、スルーホール内壁との接触が弾性的ではなく、且つ接触が不均一であり、接触信頼性に問題がある。
【０００４】
本発明の課題は、上記従来技術の問題に鑑みて、大加圧力を必要とせず、スルーホールの破損を招かず、スルーホール内壁との接触が弾性接触で、高い接触信頼性の得られる構造の端子を備えた回路基板用コネクタの実現にある。
【課題を解決するための手段】
【０００５】
本発明は、上記の課題を解決するために、以下の手段構成を有する。
本発明の構成は、
回路基板に設けられたスルーホールにコンタクトの接続端子を挿入することにより回路基板に固定するコネクタであって、前記接続端子の先端から予め定められた寸法の位置に前記接続端子の軸方向と直交する先端側前面と該面と平行な後面を有するストッパを有し、前記接続端子には、その長手方向での１箇所又は２箇所以上に前記長手方向と直交する方向の切り込みを有し、前記接続端子に前記軸方向へ押圧力を加え、前記軸方向と交差する方向へ前記接続端子を変形させて前記回路基板に固定することを特徴とするコネクタである。
【発明の効果】
【０００６】
本発明のコネクタとそのコンタクトは、従来のように長さ方向を圧縮して直径を太くするという潰しに較べて、加圧力が小さくて済み、また、直径が太くなる場合に起き易い亀裂（クラック）が生じにくく、更に潰しの場合に較べて端子部の変形に弾力性を有しており、スルーホールの内壁との接触信頼性が上がるという効果がある。
【０００７】
また、接続端子は切り込みを有しているだけで、弾性を持たせるための予めの変形は行っていないので、径の小さいスルーホールにも対応でき、従って狭ピッチ化も可能であるという効果がある。
【発明を実施するための最良の形態】
【０００８】
本発明を実施するに当って、接続端子の先端からストッパの先端側前面まで寸法、および接続端子の径と切り込みの箇所数は、本発明コネクタを実装する回路基板の厚さ寸法（スルーホールの長さ）、およびスルーホールの直径を勘案して接続端子をスルーホールに挿入したときに、突出していた先端がスルーホールの開口面まで圧縮されたときに所期の箇所で座屈し、且つ座屈によって曲がった部分の外側の部分がスルーホール内壁を所期の圧力で押圧するようにして定めるのが最良である。
【実施例】
【０００９】
以下、本発明の実施例を図面を参照して説明する。
図１は、本発明の第１の実施例のコネクタを回路基板へ固定する過程を示した断面図である。（ａ）は実施例であるコネクタ１のコンタクト３の接続端子６を、回路基板７のスルーホール８へ挿入し始めた状態を示している。
【００１０】
コネクタ１はコンタクト３がハウジング２に圧入固定されている。コンタクト３は、相手方コネクタのコンタクト（図示せず）と接触する接触部４と、ストッパ５と、スルーホール８へ挿入する接続端子６とから構成されており、ハウジング２の外側からコンタクト挿入孔２０へ接触部４の方から挿入され、ストッパ５の接触部４側の面（上面）がハウジング２の外面に当接するように圧入固定されている。
接続端子６にはその長手方向での２箇所に切り込み９が設けられ、接続端子６の直径はスルーホール８の内径よりも小さく、且つストッパ５の接続端子６側の面（下面）から先端までの長さは、スルーホール８の長さより大きい。
従って、接続端子６をスルーホール８へ挿入するときは何ら挿入のための力を要しない。
【００１１】
また、（ｂ）のようにストッパ５の下面がスルーホール８に当接するまで挿入すると接続端子６の先端はスルーホール８の下から突出する。
この状態で（ｃ）に示すように、ハウジング２の内側へ上からダイス１０を入れて、ストッパ５がスルーホール８に当接するように押さえ、パンチ１１で接続端子６の先端へ軸方向の圧力を加えるとスルーホール８内の接続端子６は、（ｄ）に示すように切り込み９の所で座屈１２を起し、座屈による曲がりの外側の部分がスルーホール８の内壁に加圧接触し、ダイス１０、パンチ１１を除いた後、コネクタ１は回路基板７に固定されることになる。
【００１２】
接続端子６の長さおよび直径と、スルーホール８の長さ（回路基板の厚さ）および直径との関係は、ダイス、パンチで加圧したときに接続端子６の先端がスルーホール８の開口面にあり、座屈の数が所定の数で、座屈曲がりの外側がスルーホールの内壁に確実に圧接するように設定される。
以上の例は、コネクタ１の嵌合向きが回路基板７の面に対して直角方向である場合の例であるが、横向きの場合も考えられる。
【００１３】
図２は、本発明の第２の実施例のコネクタを回路基板へ実装した断面図である。コネクタ１３の嵌合向きが回路基板７の面と平行になっている。
即ち、コンタクトがハウジング２の外で９０度曲がっている。このためストッパ５は、ハウジング２とは接していない。加圧するときのダイス１４は、ストッパ５の上面を直接押さえることになる。その他の点については、図１の場合と同じである。
【００１４】
本発明コネクタとそのコンタクトは、前記の構造を有しているので、厚さがコンタクトのストッパの先端側前面から接続端子の先端迄の寸法より小さい回路基板の、内径が接続端子の径より大きいスルーホールに対し、接続端子を無挿入力（ＺＩＦ）で挿入でき、ストッパの先端側前面が回路基板に当接するまで挿入すると接続端子の先端がスルーホール反対側から突出する。
【００１５】
接続端子には、長手方向での１箇所、又は２箇所以上で長手方向と直交する方向の切り込みが入っているので、ストッパの後面と接続端子の先端をダイスとパンチで軸方向に加圧すると、スルーホール内で接続端子の切り込みのある部分で座屈を起し、座屈によって曲がった部分の外側がスルーホールの内壁に圧接することになる。
ストッパの下面がコネクタハウジングに接している場合（図示せず）には、コネクタハウジング内からダイスによって、直接ストッパを押さえるようにして、座屈を起こすようにする。
【図面の簡単な説明】
【００１６】
【図１】本発明の第１の実施例のコネクタを回路基板へ固定する過程を示した断面図である。
【図２】本発明の第２の実施例のコネクタを回路基板へ固定した断面図である。
【図３】従来の、ピン状端子を回路基板に挿入し固定する構造を示す断面図である。
【符号の説明】
【００１７】
１  コネクタ
２  ハウジング
３  コンタクト
４  接触部
５  ストッパ
６  接続端子
７  回路基板
８  スルーホール
９  切り込み
１０  ダイス
１１  パンチ
１２  座屈
１３  コネクタ
１４  ダイス
１５  ピン端子
【図１】
2010073455.tif 000003
【図２】
2010073455.tif 000004
【図３】
2010073455.tif 000005